(57)【特許請求の範囲】
【請求項１】
アンテナ部材の少なくとも一部が配設されるベースプレートと、
前記ベースプレート上に設けられるアウターカバーと、を備え、
前記ベースプレートは、前記アウターカバーを固定する係止爪を有し、
前記アウターカバーは、前記係止爪と係合する板状の固定片を有し、
前記固定片は、前記係止爪と係合する係合部が凹面部を含むことを特徴とするアンテナユニット。
【請求項２】
アンテナ部材の少なくとも一部が配設されるベースプレートと、
前記アンテナ部材の少なくとも一部を覆って前記ベースプレートに装着されるインナーカバーと、
前記ベースプレート上で前記インナーカバーを覆設するアウターカバーと、を備え、
前記インナーカバーは、前記アウターカバーを固定する係止爪を有し、
前記アウターカバーは、前記係止爪と係合する板状の固定片を有し、
前記固定片は、前記係止爪と係合する係合部が凹面部を含むことを特徴とするアンテナユニット。
【請求項３】
前記インナーカバーは、前記係止爪が設けられる位置に開口部を有し、前記係止爪は前記開口部の内壁面に設けられていることを特徴とする請求項２に記載のアンテナユニット。
【請求項４】
前記アウターカバーの前記固定片は、前記インナーカバーの開口部と嵌合するように設けられていることを特徴とする請求項３に記載のアンテナユニット。
【請求項５】
前記インナーカバーの前記開口部に合わせて、前記ベースプレートに貫通口が設けられていることを特徴とする請求項３又は請求項４に記載のアンテナユニット。
【発明の詳細な説明】
【技術分野】
【０００１】
本発明は、アンテナユニットに係り、例えば自動車などの移動体に取り付けられるアンテナユニットの組み立て構造に関する。
【背景技術】
【０００２】
車両のルーフなどに設置されるアンテナユニットは、ベースプレートを外装板に固定し、アンテナ部材が内部に包含されるようにベースプレート上に外観に表れるアウターカバーを取り付ける構造を有している。このようなアンテナユニットは、当該アウターカバーに独自の形状や色彩を施して、機能性のみならずデザイン性を向上させている。
【０００３】
この種のアンテナユニットは、ベースプレート、インナーカバー及びアウターカバーから構成される二重ケース構造のものが知られている。この場合、ベースプレートは車両本体に固定され、アウターカバーはベースプレートおよびインナーカバーを覆うように取り付けられる。例えば、二重ケース構造の場合には、ベースプレートにインナープレートを装着してからアウターカバーを取り付け可能とするために、アウターカバーとベースプレート、またはアウターカバーとインナーカバーを固定する係合部が設けられている。
【０００４】
アウターカバーをベースプレート又はインナーカバーに取り付ける係合部は、アウターカバーに係止爪を有する固定片が設けられ、ベースプレート又はインナーカバー側に当該係止爪と係合する係合部を設けた構造が多くの場合採用されている（特許文献１乃至３参照）。
【先行技術文献】
【特許文献】
【０００５】
【特許文献１】特開２００６−３４５０８３号公報
【特許文献２】米国特許第７４２９９５８号明細書
【特許文献３】特開２０１２−０８５０４４号公報
【発明の概要】
【発明が解決しようとする課題】
【０００６】
しかしながら、特許文献１に記載されたアンテナユニットは、アウターカバーがインナーカバーに嵌合する構造を有しているが、アウターカバーの内側に立設した固定片の先端に係止爪が設けられているので、アウターカバーを取り扱うときに指や手袋が引っかかり、固定片や係止爪が破損して作業員が怪我をしてしまうことが問題となる。
【０００７】
特許文献２及び特許文献３に記載されたアンテナユニットは、特許文献１と同様にアウターカバー側の固定片に係止爪が設けられている。この係止爪を形成する部分に貫通する開口（穴）が設けられており、これが固定片の強度を低下させる要因となっている。すなわち、樹脂材料を用いてアウターカバーを射出成形するとき、固定片の開口部分では樹脂材料が分岐された後に再び合流するため、合流点にウェルドが形成されてしまう。固定片の先端部分にウェルドが形成されると、この部分は強度が低下するので、ウェルド部から固定片や係止爪の破断が生じ、アウターカバーの装着安定性が損なわれることが問題となる。
【０００８】
そこで本発明は、このような不具合を解消し、アウターカバーを安全に、安定的に取り付けることのできるアンテナユニットを提供することを目的の一とする。
【課題を解決するための手段】
【０００９】
本発明の一実施形態に係るアンテナユニットは、アンテナ部材の少なくとも一部が配設されるベースプレートと、ベースプレート上に設けられるアウターカバーとを備え、ベースプレートはアウターカバーを固定する係止爪を有し、アウターカバーは係止爪と係合する固定片を有する。
【００１０】
このアンテナユニットによれば、ベースプレート側に係止爪を設け、アウターカバー側に係止爪と係合する固定片を設けることにより、固定片に爪状の突起を設けなくてもよい。それにより固定片の破損を防止することができる。
【００１１】
本発明の一実施形態に係るアンテナユニットは、アンテナ部材の少なくとも一部が配設されるベースプレートと、アンテナ部材の少なくとも一部を覆ってベースプレートに装着されるインナーカバーと、ベースプレート上でインナーカバーを覆設するアウターカバーとを備え、インナーカバーはアウターカバーを固定する係止爪を有し、アウターカバーは係止爪と係合する固定片を有する。
【００１２】
このアンテナユニットによれば、ベースプレート上に取り付けられるインナーカバーに係止爪を設け、アウターカバー側に係止爪と係合する固定片を設けることにより、固定片に爪状の突起を設けなくてもよい。それにより固定片の破損及び固定片の破損による作業員の怪我を防止することができる。
【００１３】
本発明の一実施形態に係るアンテナユニットの別の態様として、インナーカバーを有する構成において、インナーカバーは、係止爪が設けられる位置に開口部を有し、係止爪は開口部の内壁面に設けられていてもよい。また、アウターカバーに設けられる固定片は、インナーカバーの開口部と嵌合するように設けられていてもよい。
【００１４】
インナーカバーに開口部を設け、該開口部の内壁面に係止爪を設けることで、係止爪が外部に露出するのを防ぐことができる。アウターカバーの固定片を、インナーカバーの開口部と嵌合するように設けることで、アウターカバーに外力が加わった場合でも、該開口部の一端が固定片を支えるので、固定片が破断するのを防止することができる。また、固定片が係止爪と係合するとき、開口部は固定片を支えることになるので、アンテナユニットに揺れや振動が作用しても、固定片が撓んで係止爪から外れることを防ぐことができる。
【００１５】
本発明の一実施形態に係るアンテナユニットの別の態様として、インナーカバーを有する構成において、インナーカバーの開口部に合わせて、ベースプレートに貫通口が設けられていてもよい。それにより、アウターカバーとインナーカバーで囲まれる空間にできる圧力が高くなることを防止し、また水等が浸入しても、該貫通孔を通じて排水することができる。
【００１６】
本発明の一実施形態に係るアンテナユニットの別の態様として、アウターカバーに設けられる固定片は、係止爪と係合する係合部が凹面部となっていることが好ましい。つまり、この係合部は固定片の係止爪と係合する位置に窪みを設けた凹面部となっており、貫通孔とならないことで、機械的強度を増すことができる。
【発明の効果】
【００１７】
本発明の一実施形態によれば、ベースプレート又はインナーカバーに係止爪を設け、アウターカバーに係止爪と係合する固定片を設けることで、固定片の破損を防ぎ、アウターカバーを確実に固定することができる。また、係止爪と係合する固定片の係合部を凹面部とすることで、固定片にウェルドが形成されるのを防ぎ、固定片の強度を向上させることができる。
【図面の簡単な説明】
【００１８】
【図１】本発明の一実施形態に係るアンテナユニットの構成を説明する斜視図。
【図２】本発明の一実施形態に係るアンテナユニットの構成を説明する断面図。
【図３】本発明の一実施形態に係るアンテナユニットの構成を説明する断面図。
【図４】本発明の一実施形態に係るアンテナユニットの各部の構成を説明する平面図であり、（Ａ）はベースプレート、（Ｂ）はインナーカバー、（Ｃ）はアウターカバーをそれぞれ示す。
【図５】固定片と係止爪の関係を説明する図であり、（Ａ）は本発明の一実施形態に係る構成を示し、（Ｂ）は従来の係止爪に係る構成を示す。
【図６】本発明の一実施形態に係る固定片の態様を示す斜視図。
【図７】本発明の一実施形態に係るアンテナユニットの構成を説明する斜視図。
【図８】本発明の一実施形態に係るアンテナユニットの構成を説明する断面図。
【図９】本発明の一実施形態に係るアンテナユニットの構成を説明する断面図。
【図１０】本発明の一実施形態に係るアンテナユニットの各部の構成を説明する平面図であり、（Ａ）はベースプレート、（Ｂ）はアウターカバーをそれぞれ示す。
【発明を実施するための形態】
【００１９】
以下、本発明の実施の形態を、図面等を参照しながら説明する。但し、本発明は多くの異なる態様で実施することが可能であり、以下に例示する実施の形態の記載内容に限定して解釈されるものではない。
【００２０】
なお、以下に説明する発明の内容について、同一部分または同様な機能を有する部分については同じ符号を異なる図面間で共通して用い、その場合において特段の事情が無い限り繰り返しの説明は省略する。
【００２１】
［第１の実施形態］
本発明の一実施形態に係るアンテナユニットについて、図面を参照して説明する。図１は、本実施形態に係るアンテナユニット１００を構成するベースプレート１０２、インナーカバー１０４及びアウターカバー１０６の斜視図である。なお、図１は説明のため、ベースプレート１０２、インナーカバー１０４及びアウターカバー１０６のそれぞれが分離した状態を示している。また、図１の中で示すＡ１−Ａ２切断線に沿った断面図を図２に、Ｂ１−Ｂ２切断線に沿った断面図を図３にそれぞれ示す。なお、図１は、便宜上、アウターカバー１０６については、図中に示すＡ１−Ａ２方向に切断したときの断面部が、図示手前に表示されるように示している。
【００２２】
アンテナユニット１００は、代表的には自動車などの車両に装着される。しかし、それ以外にも本実施の形態に係るアンテナユニットは、その他の各種の外装面に装着することが可能である。
【００２３】
アンテナユニット１００は、ベースプレート１０２、インナーカバー１０４及びアウターカバー１０６を含んで構成されるが、このうちベースプレート１０２は車両等の外装板に取り付けられる。このためベースプレート１０２は、外装板に固定するための締結具又はそれに代替する固定具が付加されていてもよい。
【００２４】
ベースプレート１０２の上面にはインナーカバー１０４が取り付けられる。インナーカバー１０４は、締結部１１８においてベースプレート１０２と締結具１１６で固定される。図１では締結具１１６として皿ねじを用いる一例を示しているが、ボルト、係止ピンなどの他の締結具を用いることもできる。
【００２５】
アウターカバー１０６は、インナーカバー１０４を覆うようにして、ベースプレート１０２上に装着される。インナーカバー１０４は、アウターカバー１０６によって覆われることで、アンテナユニット１００の通常の使用状態では外部に露出しないものとなっている。アウターカバー１０６は、インナーカバー１０４を単に覆い隠すのみでなく、外観上の美観や車両が走行するときの空力特性などを考慮して、色彩や形状に工夫が施されていてもよい。例えば、アウターカバー１０６の形態は、「シャークフィン」と呼ばれるような流線形状を有し、設置する車両に適合する色彩が施されていてもよい。
【００２６】
インナーカバー１０４とアウターカバー１０６は、係止爪１１２と、この係止爪１１２と係合する係合部１１０が設けられた固定片１０８によって固定される。なお、係止爪１１２はインナーカバー１０４に設けられ、固定片１０８はアウターカバー１０６に設けられる。
【００２７】
係止爪１１２は、インナーカバー１０４の複数箇所に設けられることが好ましく、例えば図１及び図３で示すように、インナーカバー１０４の長手方向における左右両側に設けられることが好ましい。このように、複数箇所で係止爪１１２と固定片１０８を係合させることで、アンテナユニット１００にアウターカバー１０６を安定して装着することができる。これに加え、図１及び図２で示すように、当該長手方向と交差する方向にも係止爪１１２を設けることで、アウターカバー１０６をより安定的に固定することができる。
【００２８】
なお、図２及び図３の断面図で示されるように、係止爪１１２はインナーカバー１０４の開口部１１４の壁面に凸状の部材として形成される。すなわち係止爪１１２はインナーカバー１０４の壁面に固定されており、それによって堅固な構造とすることができる。
【００２９】
これに対し固定片１０８は、アウターカバー１０６の内壁面からインナーカバー１０４に向けて立設した板状の部材である。この固定片１０８は、インナーカバー１０４の開口部１１４に設けられた係止爪１１２と係合する係合部１１０を設けている。この係合部１１０は、係止爪１１２と係合する位置に固定片１０８を窪ませることにより形成されている。これによりアウターカバー１０６をインナーカバー１０４に重ね合わせ、固定片１０８と係止爪１１２を係合させるとき、係止爪１１２はインナーカバー１０４の壁面に固定されているので、固定片１０８を一時的に撓ませて、固定片１０８の係合部１１０の窪みに係止爪１１２の爪部分を係合させることができる。
【００３０】
図２では、係止爪１１２と固定片１０８が係合する態様を、同図中に一点鎖線で囲む領域Ｍ１の拡大図で示している。Ｍ１部の拡大図を参照すると、固定片１０８の先端領域、すなわち係止爪１１２と係合する係合部１１０は、凹形状に成形されている。このように係合部の窪みを凹形状に形成した凹面部にすることで、係止爪１１２と係合する力を強くすることができる。そして、係止爪１１２の爪部分が固定片１０８の係合部１１０における凹面部と係合することにより、インナーカバー１０４とアウターカバー１０６が固定される。係止爪１１２の形状は、固定片１０８が撓みやすいように、固定片１０８が挿入される方向に沿って凸部の厚さが徐々に増加する、所謂くさび型の形状を有していることが好ましい。
【００３１】
このように、インナーカバー１０４に係止爪１１２を設け、アウターカバー１０６にこの係止爪１１２と係合する固定片１０８を設けることにより、固定片１０８に爪状の突起を設ける必要がない。それによりアウターカバーを取り扱うときに指や手袋が引っかかり、固定片が破損してしまうことや固定片の破損による作業員の怪我を防止することができる。
【００３２】
係止爪１１２は、アウターカバー１０６の固定片１０８と係合する位置であれば、インナーカバー１０４の任意の位置に設けることが可能である。好ましい一態様として、図１に示すように、インナーカバー１０４に開口部１１４を設け、この開口部１１４の内壁面に係止爪１１２を設けてもよい。この場合、アウターカバー１０６の内壁面に立設して設けられる固定片１０８は、この開口部１１４に挿入されることで係止爪１１２と係合されるものとなる。
【００３３】
図２に示されるＭ１部の拡大図を参照すると、インナーカバー１０４の開口部１１４に固定片１０８が挿入されて係止爪１１２と係合する状態が示されている。この係合状態において、開口部１１４の少なくとも一端が固定片１０８と接するか、極めて近接するように構成されていることが好ましい。インナーカバー１０４に設けられた開口部１１４の一端が、固定片１０８と接するか、極めて近接するように設けられていることで、アウターカバー１０６に外力が加わった場合でも、開口部１１４の一端が固定片１０８を支えることができるので、固定片１０８が破損するのを防止することができる。また、固定片１０８が係止爪１１２と係合するとき、開口部１１４の少なくとも一端部は固定片１０８を支えることになるので、アンテナユニット１００に揺れや振動が加わっても、固定片１０８が係止爪１１２から外れたり、撓んだりすることを防ぐことができる。
【００３４】
上記では、係止爪をインナーカバーの開口部の内壁面に設けた例を記載したがこれに限らない。例えば、インナーカバーの表面に係止爪を設けることもできる。この場合、開口部を設ける必要がない。また、係止爪はインナーカバーの一部から延在した板状の弾性体の先端に設けることもできる。
【００３５】
図４はアンテナユニット１００を構成する各部の詳細を示す。図４（Ａ）はベースプレート１０２、図４（Ｂ）はインナーカバー１０４、そして図４（Ｃ）はアウターカバー１０６の平面図をそれぞれ示す。
【００３６】
図４（Ａ）において、ベースプレート１０２には、インナーカバー１０４を固定するための締結部１１８が設けられている。シール部材１２０は、この締結部１１８の内側領域に配置されるようになっている。ベースプレート１０２とインナーカバー１０４が、シール部材１２０を挟んで締結部１１８において締結具で締結されることにより、シール部材１２０で囲まれる内側の領域は外部からの水等の浸入を防ぐように構成されている。
【００３７】
図４（Ｂ）において、インナーカバー１０４には、係止爪１１２が固定片１０８と対応する位置に設けられている。図４（Ｂ）で示すインナーカバー１０４は、さらに開口部１１４が設けられている。インナーカバー１０４に開口部１１４が設けられるとき、係止爪１１２は開口部１１４の内壁面に設けられていることが好ましい。またインナーカバー１０４には、ベースプレート１０２と固定するための締結部１１８が設けられていてもよい。締結部１１８は、締結具を挿入するための貫通孔などが設けられている。
【００３８】
図４（Ｃ）において、アウターカバー１０６を上面から見ると、固定片１０８はアウターカバー１０６の外面には表れず、アウターカバー１０６の内側に設けられている。アウターカバー１０６の形状は任意であるが、例えば図示するようにアウターカバー１０６の長手方向に沿って少なくとも左右一対の固定片１０８を設けることが好ましく、これに加え、該長手方向と交差する方向にも固定片１０８を設けることで、前述のように安定的にアウターカバー１０６を固定することができる。
【００３９】
また、インナーカバー１０４の開口部１１４ａと重なる位置に、ベースプレート１０２にも開口部１１４ｂが設けられている。この開口部１１４ｂは、ベースプレート１０２を貫通する開口である。この開口部１１４ｂが存在することにより、インナーカバー１０４とアウターカバー１０６で囲まれる内部空間と、アンテナユニットを囲む外部空間とが開通する構造となっている。このような構成により、アウターカバー１０６とインナーカバー１０４で囲まれる内部空間の内圧が高くなることを防止し、また水等が浸入しても、開口部１１４ａ、１１４ｂを通じて外部に排水することができる。
【００４０】
より具体的な一例を考慮すれば、本実施形態に係るアンテナユニットを自動車などの車両に設置した場合において、洗車等で高圧水が当てられてアウターカバーの内側に水が浸入しても、開口部からその水を排水することができる。また、治具等を用いて固定片を動かすことが可能となるため、アウターカバーの着せ替えが容易にできる。
【００４１】
本実施形態に係るアンテナユニットは、アウターカバー１０６の固定片１０８に係止爪を設けるのではなくインナーカバー１０４に係止爪１１２を設けることで、アウターカバー１０６を確実に固定すると共に、固定片１０８の破損を防止している。この詳細を、図５を参照して説明する。
【００４２】
図５（Ａ）は、本実施形態に係る構成を示し、インナーカバー１０４側に係止爪１１２が設けられ、アウターカバー１０６側に固定片１０８が設けられている。一方、図５（Ｂ）は、従来の構造を示す図であり、アウターカバー１０６側の固定片１０８ｂの先端に突出した係止爪１１２ｂが設けられ、この係止爪１１２ｂと係合する係合部１１０ｂがインナーカバー１０４側の壁面に凸状に設けられている。
【００４３】
図５（Ａ）及び図５（Ｂ）は、いずれも固定片１０８（若しくは固定片１０８ｂ）が係合部で係合した状態を示す。係合部で係止爪の係合が外れるためには、固定片が撓む必要がある。図５（Ａ）では、係止爪１１２と係合した固定片１０８の変形量を、固定片の窪みの中心位置からの角度θ１で示している。一方、図５（Ｂ）では、固定片１０８ｂの変形量を、固定片１０８ｂに設けられた係止爪１１２ｂの出っ張り部の中心位置からの角度θ２で示している。
【００４４】
上記の場合において、固定片は角度θが大きくなるほど変形量が大きくなり、結果として固定片にかかる負荷も増大することになる。図５（Ａ）で示す角度θ１に対して、図５（Ｂ）で示す角度θ２の方が大きくなることが示されており、従来構造の方が固定片にかかる負荷が大きいことがわかる。アウターカバーを引っ張ってインナーカバーから外そうとするとき、本実施形態の固定片１０８に比べ、従来構造の固定片１０８ｂの方が破損しやすいことがわかる。
【００４５】
図６（Ａ）は本実施形態に係る固定片１０８の拡大図を示す。固定片１０８は、係止爪と係合する凹面部、すなわち係合部１１０を有している。この係合部１１０は係止爪１１２の凸部（爪部）と係合するように凹面部となっており、固定片１０８に貫通孔が設けられていない。これにより、アウターカバー１０６を樹脂材料で射出成形等により製造する場合であっても、固定片１０８の全体が板面状になっているのでウェルドが形成されてしまうのを防ぐことができる。それにより固定片１０８の強度を高めることができるという利点を有している。また、製品ごとの品質のバラツキを低減することができる。
【００４６】
図６（Ｂ）で示すように、固定片１０８の他の形態として、係合部１１０の一端を開放端としてもよい。係止爪１１２が係合部１１０と係合する場合において、両者のかみ合いが強く、固く嵌合した場合でも、このような開放端を設けておくことで、係止爪又は固定片の一方が僅かにでもスライドすることができる遊びが設けられ、固定片１０８に不要な応力が発生するのを防ぐことができる。
【００４７】
いずれにしても、図６（Ａ）及び（Ｂ）で示す固定片１０８の構造は、係止爪のような爪の先端が尖った突出部を有していないので、アウターカバーを取り扱うときに指や手袋が引っかかり、固定片が破損してしまうことや固定片の破損による作業員の怪我を防止することができる。
【００４８】
なお、図１には示されていないが、アンテナユニット１００に実装されるアンテナ部材は、インナーカバー１０４の内側に設けられる。あるいは、アンテナ部材の一部はインナーカバー１０４の内側のみならず、インナーカバー１０４とアウターカバーとの間に配置されていてもよい。
【００４９】
アンテナ部材ないしこれに付随する部品を保護するために、インナーカバー１０４とベースプレート１０２との間にシール部材１２０が設けられていても良い。シール部材１２０を、ベースプレート１０２とインナーカバー１０４の周縁面と当接するように設けることで、インナーカバー１０４の内部領域を防水することができる。
【００５０】
このように本実施形態によれば、アウターカバーに係止爪と係合する固定片を設け、インナーカバーに係止爪を設けることで、固定片の破損を防ぎ、アウターカバーを確実に固定することができる。また、インナーカバーの係止爪を、インナーカバーに設けた開口部の内側に設けることで、当該開口部の端部又は内壁部で固定片を支えつつ係止爪で係合することができるので、これによっても固定片の破損を防止することができる。インナーカバーの開口部に合わせて、ベースプレートにも開口部を設けることで、アウターカバーとインナーカバーで囲まれた空間に浸入した水分を排出することができる。
【００５１】
［第２の実施形態］
本実施形態は、第１の実施形態と異なる構成のアンテナユニットであって、インナーカバーを設けない構成について例示する。
【００５２】
図７は、本実施形態に係るアンテナユニット１００ｂを示し、ベースプレート１０２及びアウターカバー１０６の構成を示す。図７は説明のため、これらの構成要素をそれぞれ分離した状態で示している。また、図７中で示すＣ１−Ｃ２切断線に沿った断面図を図８に、Ｄ１−Ｄ２切断線に沿った断面図を図９にそれぞれ示す。なお、図７は、便宜上、アウターカバー１０６については、図中に示すＣ１−Ｃ２方向に切断したときの断面部が、図示手前に表示されるように示している。
【００５３】
本実施形態に係るアンテナユニット１００ｂは、図７に示すようにベースプレート１０２の周縁部に係止爪１１２が設けられている。この係止爪１１２とアウターカバー１０６の固定片１０８が係合することで、ベースプレート１０２にアウターカバー１０６が固定される。ベースプレート１０２に設けられる係止爪１１２と、アウターカバー１０６に設けられる固定片１０８の形態は、第１の実施形態と同様のものが適用される。アンテナ部材は、ベースプレート１０２とアウターカバー１０６で囲まれる内部領域に設けられる。
【００５４】
図８及び図９の断面図で示されるように、係止爪１１２はベースプレート１０２の周縁部とベースプレートから立設した壁面部１２２との間に設けられている。これに対し固定片１０８は、アウターカバー１０６の内壁面から板状の部材が立設した状態で設けられており、係止爪と係合する面に爪がかみ合うように凹部が設けられている。本実施形態ではインナーカバーが省略された構造を有しているが、ベースプレート１０２に係止爪１１２を設けることで、アウターカバー１０６をベースプレート１０２に固定することができる。この場合、アウターカバー１０６の固定片１０８は、ベースプレート１０２の係止爪１１２と直接係合するので、アウターカバー１０６とベースプレート１０２の位置ずれを小さくすることができる。
【００５５】
係止爪１１２はベースプレート１０２の複数箇所に設けられていることが好ましい。例えば、ベースプレート１０２の長手方向の左右両側に設けられていることが好ましく、これに加え当該長手方向と交差する方向にも係止爪１１２を設けられていると、アウターカバー１０６をより安定的に固定することができる。
【００５６】
このように、ベースプレート１０２に係止爪１１２を設け、アウターカバー１０６側にこの係止爪１１２と係合する固定片１０８を設けることにより、固定片１０８に爪状の突起を設ける必要がない。それによりアウターカバーを取り扱うときに指や手袋が引っかかり、固定片が破損及び固定片の破損による作業員の怪我を防止することができる。
【００５７】
なお、図８には、係止爪１１２に固定片１０８が係合する一形態を、同図中一点鎖線で囲む領域Ｍ２の拡大図として示す。Ｍ２部の拡大図を参照すると、ベースプレート１０２に設けられた係止爪１１２と対向する側に壁面部１２２が設けられている。このような一形態において、固定片１０８は、係止爪１１２と壁面部１２２に挟まれるように挿入される。この一形態において、壁面部１２２の少なくとも一部が固定片１０８と接するか、極めて近接するように構成されていることが好ましい。壁面部１２２の少なくとも一部が、固定片１０８と接するか、極めて近接するように設けられていることで、アウターカバー１０６に外力が加わった場合でも、壁面部１２２により固定片１０８が支えられるので、固定片１０８が破損するのを防止することができる。
【００５８】
図１０はアンテナユニット１００ｂを構成する各部の詳細を示す。図１０（Ａ）はベースプレート１０２、図１０（Ｂ）はアウターカバー１０６の平面図をそれぞれ示す。
【００５９】
図１０（Ａ）において、ベースプレート１０２の周縁部と壁面部１２２の間には、固定片１０８に対応して係止爪１１２が設けられている。係止爪１１２はベースプレート１０２と一体的に形成されていることが好ましく、それによりアウターカバー１０６を装着したときにも、アウターカバー１０６を安定して固定することができる。係止爪１１２をベースプレート１０２と一体的に形成することで、アンテナユニットの部品数を減少させることができる。また、図８で示すＭ２部の拡大図を参照して説明したように、係止爪１１２に対向して壁面部１２２が設けられていてもよい。
【００６０】
図１０（Ｂ）において、アウターカバー１０６を上面から見ると、固定片１０８は外面に表れずアウターカバー１０６の内側に設けられている。アウターカバー１０６の形状は任意であるが、図示するようにアウターカバー１０６の長手方向に沿って少なくとも左右一対の固定片１０８を設けることが好ましい。また、これに加え、該長手方向と交差する方向にも固定片１０８を設けることで、より安定的にアウターカバー１０６を固定することができる。
【００６１】
なお、図７には示されていないが、アンテナユニット１００ｂに実装されるアンテナ部材は、ベースプレート１０２とアウターカバー１０６とで囲まれる領域内に設けられる。アンテナ部材ないしこれに付随する部品を保護するために、インナーカバー１０４とベースプレート１０２との間にシール部材１２０が設けられていても良い。ベースプレート１０２に貫通口（図４（a）の１１４ｂ）を設けることで、水抜きをすることができる。さらに、ベースプレート１０２に貫通口（図４（a）の１１４ｂ）を設けることで、治具等を用いて固定片を動かすことが可能となるため、アウターカバーの着せ替えが容易にできる。
【００６２】
このように本実施形態によれば、アウターカバーに係合部を有する固定片を設け、ベースプレートに係止爪を設けることで、固定片の破損を防ぎ、アウターカバーを確実に固定することができる。また、ベースプレートに設けた係止爪でアウターカバーを固定することにより、アウターカバーの位置がずれてしまうことなく、ベースプレートに装着することができる。
【符号の説明】
【００６３】
１００：アンテナユニット、１０２：ベースプレート、１０４：インナーカバー、１０６：アウターカバー、１０８：固定片、１１０：係合部、１１２：係止爪、１１４：開口部、１１６：締結具、１１８：締結部、１２０：シール部材、１２２：壁面部
【図１】
0005937147.tif 000002
【図２】
0005937147.tif 000003
【図３】
0005937147.tif 000004
【図４】
0005937147.tif 000005
【図５】
0005937147.tif 000006
【図６】
0005937147.tif 000007
【図７】
0005937147.tif 000008
【図８】
0005937147.tif 000009
【図９】
0005937147.tif 000010
【図１０】
0005937147.tif 000011